(57)【要約】【課題】ヘッドホンによる視聴の適切化が得られるようにしたワイヤレスＡＶシステムを提供すること。【解決手段】  テレビジョン受像機のチューナ部と画像表示部を分離し、チューナ部をワイヤレスセンター側装置２とし、画像表示部をモニター側装置３とした上で、これらの間を無線伝送により関連付けし、信号伝送をワイヤレスで行うようにしたワイヤレスＡＶシステム１において、ワイヤレスセンター側装置２からモニター側装置３にワイヤレス伝送される映像信号と音声信号の内の音声信号については、当該ワイヤレスセンター側装置２に設けてあるヘッドホンジャック４からも出力されるように構成し、ワイヤレスセンター側装置２に接続したヘッドホン５によっても音声信号の聴取が得られるようにしたもの。【選択図】図１
2008060966.tif 000002
【特許請求の範囲】
【請求項１】
テレビジョン受像機のチューナ部と画像表示部を分離し、これらの間を無線伝送により関連付けし、信号伝送をワイヤレスで行うようにしたワイヤレスＡＶシステムにおいて、
前記チューナ部に音声信号出力端子を設け、
この音声信号出力端子に、当該チューナ部から前記画像表示部にワイヤレス伝送される映像信号と音声信号の内の音声信号が供給されるように構成したことを特徴とするワイヤレスＡＶシステム
【請求項２】
請求項１記載のワイヤレスＡＶシステムにおいて、
前記チューナ部が信号遅延回路を備え、
前記声信号出力端子に対する前記音声信号の供給が、前記信号遅延回路を介して行われるように構成されていることを特徴とする具備するワイヤレスＡＶシステム。
【請求項３】
請求項１又は請求項２記載のワイヤレスＡＶシステムにおいて、
前記画像表示部が２画面機能を備え、一方の画面に表示された画像の音声は当該画像表示部に備えられている音声信号出力端子から出力させ、他方の画面に表示された画像の音声は前記チューナ部の音声信号出力端子から出力させるように構成されていることを特徴とするワイヤレスＡＶシステム。
【発明の詳細な説明】
【技術分野】
【０００１】
本発明は、テレビジョン受像機などのＡＶシステムに係り、特に、ＡＶ機器がセンター側とモニター側に分離され、これらがワイヤレスで関連付けされているワイヤレスＡＶシステムに関する。
【背景技術】
【０００２】
近年、テレビジョン受像機を、放送受信用のチューナー側と、表示装置を備えたモニター側に分離し、チューナー側で放送を受信し、映像信号と音声信号をモニター側に伝送し、モニター部で画像と音声を再生する方式のシステムが実用に供されているが、このとき、チューナー側とモニター側の間の映像信号と音声信号の伝送をワイヤレス方式で行うようにした、いわゆるワイヤレスＡＶシステムが従来技術として知られている(例えば特許文献１、２参照)。そして、このワイヤレスＡＶシステムの場合、チューナー側はワイヤレスセンター側と呼ばれることになる。
【０００３】
また、このようなＡＶシステムにおいては、ヘッドホン(又はイヤホン)による視聴が望まれる場合も多いが、このとき、テレビジョン受像機では、リモコン操作が一般的であることから、リモコン(リモコン操作器)にヘッドホンを接続し、受像機本体からリモコンに音声信号をワイヤレス伝送させることにより、ヘッドホンによる視聴を可能にしたシステムも従来技術として知られている(例えば特許文献３参照)。
【０００４】
一方、近年は、液晶やプラズマなどによる表示装置の薄型化が目覚ましく、この結果、テレビジョン受像機など映像と音声の受信・再生システム、いわゆるＡＶシステムにおいては、映像を再生(表示)するためのモニター部に薄型の表示装置を用いたものが多くなっている。しかも、この薄型の表示装置の場合、大型化が比較的容易なため、大画面化が進んでおり、このため近年は、薄型テレビジョン受像機などのＡＶシステムでは、その大画面を活かして、２画面表示機能が搭載されるようになっている場合が多い。
【特許文献１】特開２００１−１６０９２７号公報
【特許文献２】特開２００１−３５８９６６号公報
【特許文献３】実開平０１−１１９２７３号公報
【発明の開示】
【発明が解決しようとする課題】
【０００５】
上記従来技術は、テレビジョン受像機のチューナー部とモニター部を分離してワイヤレスにより関連付けしたワイヤレスＡＶシステムにおけるヘッドホンの使用に配慮がされておらず、ヘッドホンによる視聴の適切化に問題があった。
【０００６】
従来技術の場合、ヘッドホン接続用プラグの差し込み口となるヘッドホンジャックはモニター側にしかない。従って、この場合、リード線を長くしないとモニター面が視聴者に近すぎて画面が見難いし、目にも良くない。
【０００７】
そして、このことは、大画面のテレビジョン受像機の場合、特に著しい。しかしてリード線の長いヘッドホンを使ったとするとコードが邪魔になる。そこで、これを解決するものとして、リモコンによる従来技術(特許文献３)があるが、この場合、別途、音声信号の伝送手段が必要になり、リモコンに受信手段を設けなければならないので、リモコンが大きくて重いものになってしまい、使い勝手が良くない。
【０００８】
本発明は、このような状況に鑑みてなされたもので、その目的は、ヘッドホンによる視聴の適切化が得られるようにしたワイヤレスＡＶシステムを提供することにある。
【課題を解決するための手段】
【０００９】
上記目的は、テレビジョン受像機のチューナ部と画像表示部を分離し、これらの間を無線伝送により関連付けし、信号伝送をワイヤレスで行うようにしたワイヤレスＡＶシステムにおいて、前記チューナ部に音声信号出力端子を設け、この音声信号出力端子に、当該チューナ部から前記画像表示部にワイヤレス伝送される映像信号と音声信号の内の音声信号が供給されるようにして達成される。
【００１０】
このとき、更に前記チューナ部が信号遅延回路を備え、前記声信号出力端子に対する前記音声信号の供給が、前記信号遅延回路を介して行われるようにしても上記目的が構成され、また、前記画像表示部が２画面機能を備え、一方の画面に表示された画像の音声は当該画像表示部に備えられている音声信号出力端子から出力させ、他方の画面に表示された画像の音声は前記チューナ部の音声信号出力端子から出力させるようにしても上記目的が達成される。
【発明の効果】
【００１１】
本発明によれば、リード線の長さが短いヘッドホンを使用したときでもモニター面から適切な距離離れた場所で視聴できるので、モニター面に近すぎて画面が見難くなってしまう虞がなく、視力の低下を気にする必要もなくなり、且つ、コードの長いヘッドホンを使用する必要もなくなるので、視聴に際してコードが邪魔になる虞もなくすことができる。
【発明を実施するための最良の形態】
【００１２】
以下、本発明に係るワイヤレスＡＶシステムについて、図示の実施の形態により詳細に説明する。図１は、本発明の一実施形態を示したもので、ここで１がワイヤレスＡＶシステムを表している。そして、このシステム１は、画像表示に液晶パネルを用いた２画面表示型テレビジョン受像機のチューナ部と画像表示部を分離し、チューナ部をワイヤレスセンター側装置２とし、画像表示部をモニター側装置３とした上で、これらの間を無線伝送により関連付けし、信号伝送をワイヤレスで行うようにした場合の本発明の一実施の形態である。
【００１３】
このため、ワイヤレスセンター側装置２からモニター側装置３に向けて、例えばＩＥＥＥ８０２.１１ｂ規格に基づくＳＳ(スペクトル拡散)無線により、ＭＰＥＧ２ストリーム情報が伝送されるようにしてあり、このとき、他のコマンドデータなどは、コマンド伝送として図示したように、両者間で双方向通信により伝送されるようになっている。そして、この実施形態では、ワイヤレスセンター側装置２とモニター側装置３に、各々ヘッドホンジャック４とヘッドホンジャック６を設け、これによりヘッドホン５とヘッドホン７がそれぞれ接続できるようになっている。
【００１４】
そして、まず、ワイヤレスセンター側装置２には、テレビジョン放送受信用のチューナ１１が接続されていて、アンテナ１２に捉えられたテレビジョン電波による信号が受信できるようになっているが、このときの動作に必要な電力は、ＡＣ電源１３から供給されるようになっている。しかも、このワイヤレスセンター側装置２には、更に外部入力用の端子として、ビデオ１入力９ａとビデオ２入力９ｂ、それにビデオ３入力９ｃの３系統が設けられていて、テレビジョン放送プログラム以外の映像と音声にも対応できるようになっている。ここでビデオ１入力９ａは、図示のようにＳ端子付になっている。
【００１５】
次にモニター側装置３について説明すると、この実施形態では、上記したように、画像表示に２画面表示機能が搭載された薄型のモニター装置８を用い、これにより２種のコンテンツによる画像が当該モニター装置８の左画面８ａと右画像８ｂとして同時に再生できるようになっている。そして、これにも外部入力用の端子としてビデオ４入力１０が設けてあり、同じくＡＣ電源１４を備え、これから動作に必要な電力が供給されるようになっている。
【００１６】
更に詳細に説明すると、まず、ワイヤレスセンター側装置２は、図２に示すように、映像・音声復調部２１とＡＶセレクタ２２、ワイヤレスセンター側マイコン２３、第１記憶部(ＥＥＰＲＯＭ)２４、映像処理部２６、音声処理部２７、音声遅延回路２８、それにＳＳ送信ユニット３０を備え、このときＳＳ送信ユニット３０は、Ａ／Ｄ変換器３１とＭＰＥＧ２エンコーダ３２、第１のＳＳ無線送信ユニット３３、それに第１のＳＳ−ＣＰＵ３４で構成されている。なお、ここでは、既に図１において説明した構成要素については、詳細な説明は省略する。
【００１７】
そして、ここでは、ワイヤレスセンター側マイコン２３がチューナ１１とＡＶセレクタ２２、それにＳＳ送信ユニット３０を制御するようになっている。そこで、ワイヤレスセンター側マイコン２３は、第１記憶部(ＥＥＰＲＯＭ)２４に記憶されているデータに基づいて動作し、選局コマンド１１ａを生成し、チューナー１１の選局処理を行わせ、受信したテレビジョン放送信号を映像・音声復調部２１に入力し、復調出力が第１ＡＶセレクタ２２に入力されるようにする。
【００１８】
この第１ＡＶセレクタ２２は、ワイヤレスセンター側マイコン２３から出力されるソース選択コマンド２２ａに基づいて動作し、映像・音声復調部２１の出力である復調信号と外部入力１〜３)９ａ〜９ｃのそれぞれをビデオ信号ソースとし、それらの中の一種のソースを選択する。そして、この入力切換処理により選択されたビデオ信号源の映像信号と音声信号は、それぞれワイヤレスセンター側映像処理部２６とワイヤレスセンター側音声処理部２７を介してＳＳ送信ユニット３０に入力される。なお、音声遅延回路２８については、後で詳述する。
【００１９】
このときＳＳ送信ユニット３０は、Ａ／Ｄ変換器３１と、ＭＰＥＧ２エンコーダ３２と、第１のＳＳ無線送受信エンジン３３と、これらを制御する第１のＳＳ―ＣＰＵ３４とを備え、映像・音声信号は、Ａ／Ｄ変換器３１によりＡ／Ｄ変換され、この後、例えばＭＰＥＧ２エンコーダ３２によりＭＰＥＧ２形式にエンコードされ、ワイヤレスセンター側マイコン２３からのＴＶコマンド送受信コマンド３４ａに基づいてＭＰＥＧ２形式にエンコードされたデータをモニター側装置３に送ると共に、種々のコマンド(データ)についても、ＵＡＲＴ(汎用非同期送受信回路)により、モニター側装置３と双方向に通信するようになっている。
【００２０】
次に、モニター側装置３について詳細に説明すると、これは、図３に示すように、ＳＳ受信ユニット４０と第２ＡＶセレクタ５０、モニター側マイコン５１、液晶ディスプレイなどのモニター５５、それに図示してないリモコン(リモコン操作器)からの光信号を受信するためのリモコン受光部５２とを有している。なお、ここでのモニター５５は、図１のモニター装置８のことである。ＳＳ受信ユニット４０には、第２のＳＳ無線送受信エンジン４１と、ＭＰＥＧ２デコーダ４２、Ｄ／Ａ変換器４３、それに、これらを制御する第２のＳＳ―ＣＰＵ４４とが備えられ、モニター側マイコン５１には、第２記憶部(ＥＥＰＲＯＭ)５３が関連付けされている。
【００２１】
ここで、ワイヤレスセンター側装置２からＭＰＥＧ２形式にエンコードされて送信されているストリーミング情報は、モニター側マイコン５１からのＴＶ送受信コマンド４４ａを受けたＳＳ―ＣＰＵ４４の指示により、ＳＳ受信ユニット４０内の第２のＳＳ無線送受信エンジン４１により受信され、ＭＰＥＧ２デコーダ４２で映像信号と音声信号にデコードされた後、Ｄ／Ａ変換器４３によりＤ／Ａ変換される。そして、Ｄ／Ａ変換された映像信号と音声信号は、ビデオ４入力１０から供給されている外部入力信号と共に第２のＡＶセレクタ５０に入力され、ここでモニター側マイコン５１からのソース選択コマンド５０ａに基づいて一方が選択され、映像信号はモニター側映像処理部５４に入力され、音声信号はモニター側音声処理部５７に入力される。
【００２２】
そして、モニター側映像処理部５４に入力された映像信号は、これからモニター５５に供給され、この結果、モニター５５に当該映像信号に基づいた画像が表示される。また、モニター側音声処理部５７に入力された音声信号は、スピーカー５８又はヘッドホンジャック６に接続されたヘッドホン７(図１)に供給され、この結果、スピーカー５８又はヘッドホン７から、モニター５５に表示される画像に対応した音声が聞かれるようになる。このとき、スピーカー５８は、一般的にはモニター５５に内蔵されているが、外付けされる場合もある。
【００２３】
この結果、従来技術と同じように、ワイヤレスセンター側とモニター側に分離されたリモコン操作方式のテレビジョン受像機、つまりワイヤレスＡＶシステムとしての働きが得られることになるが、このとき、この実施形態では、図２に示したように、ワイヤレスセンター側装置２にもヘッドホンジャック４が設けられていて、これにより図１に示したように、ヘッドホン５が接続できるようになっている。そして、このヘッドホンジャック４には、音声処理部２７から、モニター側装置３に送信されている音声信号と同じ音声信号が音声遅延回路２８を介して供給されている。
【００２４】
従って、この実施形態によれば、ワイヤレスセンター側装置２にヘッドホン５を接続することにより、このワイヤレスセンター側装置２からモニター側装置３に送信されている音声信号による音声と同じ音声が、ワイヤレスセンター側装置３でも再生されることになり、この結果、ワイヤレスセンター側装置２がモニター側装置３から離れ、手近にあれば、ヘッドホン５として、リード線があまり長くないものを使用したとしても、モニター５５から或る程度、距離を隔てたところでモニターに表示された画像の音声を聴くことができる。
【００２５】
しかも、この実施形態では、図２に示されているように、音声処理部２７からヘッドホンジャック４に供給される音声信号の経路に音声遅延回路２８が設けられ、これによりヘッドホン５から再生される音声に、ＳＳ送信ユニット３０のＭＰＥＧ２エンコーダ３２によるエンコード処理時間とＳＳ受信ユニット４０のＭＰＥＧ２デコーダ４２によるデコード処理時間の和に相当する遅れが与えられるようになっており、この結果、ワイヤレスセンター側装置２のヘッドホン５でもモニター５５に表示される映像に合わせた音声が得られるようになっている。
【００２６】
従って、この実施形態によれば、ワイヤレスによる画像信号と音声信号の伝送にＭＰＥＧ２方式を適用して効率的なデータ圧縮が得られるようにしているにもかかわらず、ワイヤレスセンター側装置２のヘッドホン５による音声の再生を、モニター側装置３でのモニター５５での映像の再生に時間的に合致して得ることができるので、モニター上での画像の動きとそれによる音声の再生に時間差が表れてしまう虞がなくなり、表示画像に対して違和感のない自然な音声再生を容易に得ることができる。
【００２７】
ところで、この実施形態では、図１に示されているように、モニター装置８の左画面８ａと右画面８ｂに別々の映像が表示できるようにした２画面機能を有している。そこで、いま、図３において、例えばビデオ４入力１０の映像を、モニター５５の右画面Ｒに表示させ、モニター５５の左画面Ｌにはチューナー１１からの映像を表示させたとする。そして、これに応じてビデオ４入力１０の音声はモニター側ヘッドホンジャック６に出力させ、ワイヤレスセンター側ヘッドホンジャック４にはチューナ１１の音声を出力させたとする。
【００２８】
そして、モニター側ヘッドホンジャック６には、図１に示すように、ヘッドホン７を接続し、ワイヤレスセンター側ヘッドホンジャック４にはヘッドホン５を接続したとすると、ヘッドホン７からはモニター装置８の右画面８ｂの映像に対応した音声が聞こえ、ヘッドホン５からはモニター装置８の左画面８ａの映像に対応した音声が聞こえることになり、従って、この実施形態によれば、２画面再生時にも相手に煩わしい思いをさせることなく、２画面の各々の画像の音声を気兼ねなく聞くことができる。
【００２９】
以上、本発明に関して、図示の実施の形態に沿って説明を行ったが、本発明はこれらの例に限定されるものではなく、種々の変形が可能であるのは言うまでもない。例えば上記実施形態では、テレビジョン受信・再生システムを例にして説明したが、他のＡＶシステムにも適用可能なこともいうまでもない。
【００３０】
ここで、上記の実施形態の場合、モニター５５には液晶パネルを用いているが、特にこれに限定されるわけでなく、画像表示が可能な部材であればよい。特に携行性に適した薄型の表示素子であると尚良く、有機／無機ＥＬ表示素子やＦＥＤ表示素子、プラズマ表示素子等が挙げられる。
【００３１】
本発明に係るワイヤレスＡＶシステムを利用すれば、モニター側装置に２画面機能が具備されている場合、一方の人はモニター側のヘッドホンから一方の画面に対応した音声を聞き、他方の人はワイヤレスセンター側のヘッドホンから他方の画面に対応した音声を聞くことができるので、このときはスピーカーから音声を出す必要がなく、従って、何れの人も他の番組の音声が聞こえてきて煩わしいといったことがないので、二人の人が１つのモニターで完全に別々の番組を楽しむことができる。
【図面の簡単な説明】
【００３２】
【図１】本発明によるワイヤレスＡＶシステムの一実施の形態を示すブロック構成図である。
【図２】本発明によるワイヤレスＡＶシステムの一実施の形態におけるワイヤレスセンター側装置の一例を示すブロック構成図である。
【図３】本発明によるワイヤレスＡＶシステムの一実施の形態におけるモニター側装置の一例を示すブロック構成図である。
【符号の説明】
【００３３】
１：ワイヤレスＡＶシステム
２：ワイヤレスセンター側装置
３：モニター側装置
４：ワイヤレスセンター側ヘッドホンジャック
５：ヘッドホン(ワイヤレスセンター側)
６：モニター側ヘッドホンジャック
７：ヘッドホン(モニター側)
８：モニター装置
８ａ：モニターの左画面
８ｂ：モニターの右画面
９ａ：ビデオ１入力(Ｓ端子付き)端子
９ｂ：ビデオ２入力端子
９ｃ：ビデオ３入出力端子
１０：ビデオ４入出力端子
１１：チューナー
１２：アンテナ
１３：ワイヤレスセンター側ＡＣ電源端子
１４：モニター側ＡＣ電源端子
２１：映像・音声復調部
２２：第１ＡＶセレクタ
２３：ワイヤレスセンター側マイコン
２４：第１記憶部(ＥＥＰＲＯＭ)
２６：ワイヤレスセンター側映像処理部
２７：ワイヤレスセンター側音声処理部
２８：音声遅延回路
３０：無線送信ユニット
３１：Ａ／Ｄ変換器
３２：ＭＰＥＧ２エンコーダ
３３：第１のＳＳ無線送受信エンジン
３４：第１のＳＳ―ＣＰＵ
４０：ＳＳ受信ユニット
４１：第２のＳＳ無線送受信エンジン
４２：ＭＰＥＧ２エンコーダ
４３：Ｄ／Ａ変換器
４４：第２のＳＳ―ＣＰＵ
５０：第２ＡＶセレクタ
５１：モニター側マイコン
５２：リモコン受光部
５３：第２記憶部(ＥＥＰＲＯＭ)
５４：モニター側映像処理部
５５：モニター(液晶ディスプレイなど)
５７：モニター側音声処理部
５８：スピーカー
【図１】
2008060966.tif 000003
【図２】
2008060966.tif 000004
【図３】
2008060966.tif 000005